(57)【要約】【課題】面倒な操作をすることなく曲のランキング順で再生を行うオーディオ装置及び曲再生方法を提供する。【解決手段】オーディオ装置ＨＵに収納されている記録媒体毎に曲の曲番、タイトル、アーティスト名等の情報をメモリ２６に記憶し、オーディオ装置ＨＵの操作部ＣＵより所定の操作によりランキング順再生が指示されるとオーディオ装置ＨＵの送受信部１９が曲のランキング情報が公開されているホームページにアクセスし、ページのソース、即ちｈｔｍｌファイルＨＦをダウンロードする。そして、ダウンロードしたｈｔｍｌファイルＨＦはメモリ２６に記憶され、順位、曲名、アーティスト名を解析し、その順位に従ってオーディオ装置ＨＵに収納されている記録媒体中の曲を選曲、再生を行う。【選択図】　　図１
2004021159.tif 000002
【特許請求の範囲】
【請求項１】
外部より曲のランキング情報を取得可能なオーディオ装置において、
オーディオ装置内に収納されている記録媒体より曲情報を検索する収録曲検索部と、
該収録曲検索部で検索した曲情報を記憶する収録曲情報記憶部と、
外部のサーバよりランキング情報を取得する送受信部と、
該送受信部より取得したランキング情報を解析するランキング情報解析部と、
該ランキング情報解析部で解析したランキング情報と前記収録曲情報記憶部に記憶されている曲情報とを用いてオーディオ装置内に収納されている記録媒体より曲の再生を行う曲再生部と、
を備えたことを特徴とするオーディオ装置。
【請求項２】
外部より曲のランキング情報や曲データを取得可能なオーディオ装置において、
オーディオ装置内に収納されている記録媒体より曲情報を検索する収録曲検索部と、
該収録曲検索部で検索した曲情報を記憶する収録曲情報記憶部と、
外部のサーバへ接続し、ランキング情報を取得する送受信部と、
該送受信部より取得したランキング情報を解析するランキング情報解析部と、
該ランキング情報解析部で解析したランキング情報と前記収録曲情報記憶部に記憶されている曲情報との比較を行う曲情報比較部と、
該曲情報比較部で比較した結果、前記収録曲情報記憶部に記憶されていない曲がランキング情報に存在しているとき、前記送受信部を用いて外部のサーバへ接続し前記収録曲情報記憶部に記憶されていない曲をダウンロードし、記録媒体に記録する曲ダウンロード部とランキング情報を用いてオーディオ装置内に収納されている記録媒体より曲の再生を行う曲再生部と、
を備えたことを特徴とするオーディオ装置。
【請求項３】
外部より曲のランキング情報を取得し、ランキング順で再生を行う曲再生方法において、
オーディオ装置内に収納されている記録媒体より曲情報を取得し、
取得した曲情報を記憶し、
所定の操作により指示があったとき、外部のサーバへ接続してランキング情報を取得し、
取得したランキング情報を解析して前記記憶した曲情報との比較を行い、
比較した結果を用いてランキング情報に準じてオーディオ装置内に収納されている記録媒体より曲の再生を行うことを特徴とする曲再生方法。
【請求項４】
外部より曲のランキング情報や曲データを取得し、ランキング順で再生を行う曲再生方法において、
オーディオ装置内に収納されている記録媒体より曲情報を取得し、
取得した曲情報を記憶し、
所定の操作により指示があったとき、外部のサーバへ接続してランキング情報を取得し、
取得したランキング情報を解析して前記記憶した曲情報との比較を行い、
記憶されていない曲がランキング情報に存在しているとき、外部のサーバへ接続し、記憶されていない曲をダウンロードし、
ダウンロードした曲を記憶し、
ランキング情報を用いてオーディオ装置内に収納されている記録媒体より曲の再生を行うことを特徴とする曲再生方法。
【発明の詳細な説明】
【０００１】
【発明の属する技術分野】
本発明は、オーディオ装置及び曲再生方法に係り、特に外部で公開されている曲のランキング情報に準じた再生を行うオーディオ装置及び曲再生装置に関する。
【０００２】
【従来の技術】
曲のランキング情報は、ランキング情報を扱う会社により紙媒体を使用して発行されたり、テレビやラジオの番組で放送されていたが、近年のインターネットの普及により紙媒体の発行やテレビやラジオの番組ではなくホームページ上で公開されるようになってきている。そして、多くのユーザーは前記ホームページ上にアクセスしてランキング情報を閲覧し、その情報をもとにＣＤを購入したり、レンタルを行ったりして曲の聴取をしている。
【０００３】
一方、オーディオ装置は、複数のソース、例えばラジオ受信機やＣＤ再生装置、ＭＤ再生装置、又、近年ではハードディスク等の記憶装置も接続されており、ユーザーは各々のソースに記憶してある曲の中から所望の曲を選択して再生を行い曲の聴取をしている。
【０００４】
しかしながら、インターネット上で公開されている曲のランキング順で再生を行うにはユーザーがインターネット上で公開されている曲のランキングを基にしてオーディオ装置の再生順序をプログラムしたり、ランキング順に合わせて曲を記録媒体に記録して再生を行わなければならず、不便であった。
【０００５】
以上より、本発明の目的は面倒な操作をすることなく曲のランキング順で再生を行うオーディオ装置及び曲再生方法を提供することである。
【０００６】
【課題を解決するための手段】
上記課題は、本発明によれば、オーディオ装置内に収納されている記録媒体より曲を検索して情報を取得し、取得した曲の情報を記憶して所定の操作により指示があったとき、外部のサーバへ接続し、ランキング情報を取得し、取得したランキング情報を解析し、前記記憶した曲情報との比較を行い、その結果を用いてランキング情報に準じてオーディオ装置内に収納されている記録媒体より曲の再生を行うことにより達成される。
【０００７】
又、上記課題は、本発明によれば、オーディオ装置内に収納されている記録媒体より曲を検索して情報を取得し、取得した曲の情報を記憶して所定の操作により指示があったとき、外部のサーバへ接続し、ランキング情報を取得し、取得したランキング情報を解析し、前記記憶した曲情報との比較を行い、その結果、記憶されていない曲がランキング情報に存在しているとき、外部のサーバへ接続して記憶されていない曲をダウンロードし、ダウンロードした曲を記憶し、比較した結果を用いてランキング情報に準じてオーディオ装置内に収納されている記録媒体より曲の再生を行うことにより達成される。
【０００８】
【発明の実施の形態】
（Ａ）本発明第１の概略説明
図１は本発明の第１の概略説明図であり、ＮＳＲはインターネットに接続されている外部のサーバ、ＨＤＲはサーバＮＳＲのハードディスク、ＨＦはハードディスクＨＤＲ中に記録されているランキング情報のｈｔｍｌファイルである。ＨＵはオーディオ装置であり、再生、ボリューム調整等の指示を行う操作部、外部のサーバと情報の送受信を行う送受信部１９、メモリ２６、ＣＤプレーヤ１２、ＭＤプレーヤ１３、ハードディスクドライブ１４を備えており、各々にＣＤ、ＭＤ、ハードディスクの記録媒体が収納されている。
【０００９】
本発明に係るオーディオ装置ＨＵでは、まず、オーディオ装置ＨＵに収納されている記録媒体毎に曲の曲番、タイトル、アーティスト名等の情報をメモリ２６に記憶する。そしてオーディオ装置ＨＵの操作部ＣＵより所定の操作によりランキング順再生が指示されるとオーディオ装置ＨＵの送受信部１９が曲のランキング情報が公開されているホームページにアクセスし、ページのソース、即ちｈｔｍｌファイルＨＦをダウンロードする。次にダウンロードしたｈｔｍｌファイルＨＦはメモリ２６に記憶され、順位、曲名、アーティスト名を解析し、その順位に従ってオーディオ装置ＨＵに収納されている記録媒体中の曲を選曲、再生を行う。
【００１０】
（Ｂ）本発明第２の概略説明
図２は本発明の第２の概略説明図であり、図１と同様の構成に関しては同じ番号を付してある。ＮＳＭはインターネットに接続されている外部のサーバ、ＨＤＭはサーバＮＳＭのハードディスクであり様々な曲が記録されている。
【００１１】
本発明に係るオーディオ装置ＨＵでは、まず、オーディオ装置ＨＵに収納されている記録媒体毎に曲の曲番、タイトル、アーティスト名等の情報をメモリ２６に記憶する。そしてオーディオ装置ＨＵの操作部ＣＵより所定の操作によりランキング順再生が指示されるとオーディオ装置ＨＵの送受信部１９が曲のランキング情報が公開されているホームページにアクセスし、ページのソース、即ちｈｔｍｌファイルＨＦをダウンロードする。次にダウンロードしたｈｔｍｌファイルはメモリ２６に記憶され、順位、曲名、アーティスト名を解析する。
【００１２】
次にｈｔｍｌファイルの解析結果とオーディオ装置ＨＵに収納されている記録媒体に記録されている曲の情報を用いてランキング内の曲がオーディオ装置ＨＵ内に存在するか否かを判定し、オーディオ装置ＨＵに収納されている記録媒体に記録されている曲以外の曲がランキング中に存在した場合は、送受信部１９は曲が記録されているサーバＮＳＭにアクセスし、ランキング中に存在していてオーディオ装置ＨＵに収納されている記録媒体に記録されていない曲を検索しダウンロードを開始する。そしてダウンロードした曲はハードディスクＨＤに記憶し、ランキング順に従ってオーディオ装置ＨＵに収納されている記録媒体中の曲を選曲、再生を行う。
【００１３】
（Ｃ）本発明の第１実施例
（ａ）本発明第１実施例のオーディオ装置の構成
図３は本発明第１実施例のオーディオ装置の構成図である。図中１０はラジオ受信用のアンテナ、１１はラジオの放送信号を受信し、検波信号を出力するラジオ受信部、１２はＣＤに記録された音楽情報を読み出してＣＤ信号やＣＤ−ＴＥＸＴ方式で記録された文字情報を出力するＣＤプレーヤ、１３はＭＤに記録された音楽情報を読み出してＭＤ信号やＭＤのＵＴＯＣに記録された文字情報を出力するＭＤプレーヤ、１４はＣＤ−ＤＡやＭＰ３形式に圧縮された音楽信号を記録するハードディスクドライブ（ＨＤＤ）である。
【００１４】
１５はラジオ受信部１１、ＣＤプレーヤ１２、ＭＤプレーヤ１３、ＨＤＤの各ソース信号の切換えを行なうソース切替部、１６はソース切替部１５からのソース信号の音量を調節するためのボリュームコントローラ、１７はボリュームコントローラ１６で調節されたソース信号を増幅するアンプ、１８はスピーカ、１９は外部サーバと情報やデータの送受信を行う送受信部、２２はユーザーがランキング順再生の指示やラジオのチャンネル選択やソース切替、ボリューム調節の操作を行なう操作部、２３は現在選択しているソースの情報や再生している曲のトラック等を表示する表示部である。
【００１５】
２４は操作部２２からの指示を受けてソース切替部１５の制御や、ＨＤＤ１４に記録されている圧縮音楽のデコードする処理を行なうシステムコントローラ、２４ａは送受信部１９が受信した曲のランキングが記録されているｈｔｍｌファイルの解析を行うｈｔｍｌ解析部、２４ｂはＣＤプレーヤ１２、ＭＤプレーヤ１３、ＨＤＤの各ソースに記録されている曲を検索して後述するＲＡＭに記憶させたり、２４ａにより解析したｈｔｍｌファイルに記録されているランキングの曲がオーディオ装置内に存在するか否かを判定する収録曲判定部である。
【００１６】
２５はラジオ受信部１１、ＣＤプレーヤ１２、ＭＤプレーヤ１３、ＨＤＤ１４を制御するためのプログラムが記憶されているＲＯＭ、２６は現在再生しているＣＤのトラック番号や経過時間等の情報を記憶するＲＡＭ、２７はＲＯＭ２５からの記憶データ読み出し、ＲＡＭ２６への情報の書き込みや読み出しを制御するメモリコントローラである。
【００１７】
（ｂ）ｈｔｍｌ解析部
ｈｔｍｌ解析部２４ａは送受信部１９が受信した曲のランキングが記録されているｈｔｍｌファイルの解析を行う。図４はランキング情報が記録されているｈｔｍｌファイルの一例である。まず、ｈｔｍｌファイル中より順位、ランク、タイトル、曲名、アーティスト等のキーワードを検索する。図では順位Ｒ、タイトルＴ、アーティストＡが存在しており、これらは＜ｔｈ＞順位＜／ｔｈ＞、＜ｔｈ＞タイトル＜／ｔｈ＞、＜ｔｈ＞アーティスト＜／ｔｈ＞というように見だし項目を示す＜ｔｈ＞タグにより囲まれている。そして、それぞれが次の行に記載されている＜ｔｄ＞１＜／ｔｄ＞、＜ｔｄ＞ＪＪＪＪＪ＜／ｔｄ＞、＜ｔｄ＞ＢＣＤ＜／ｔｄ＞に対応しており、データセルを示す＜ｔｄ＞タグにより囲まれている。このようなｈｔｍｌファイルからランキングに関するキーワードとそれに対応するデータを抽出するように解析を行うことで何位にどの曲が入っていてその曲を演奏しているのは誰かということがわかる。
【００１８】
（ｃ）ＲＡＭの記憶内容
図５は本発明第１実施例のＲＡＭ２６の記憶内容の説明図である。ＲＡＭ２６には収録曲判定部２４ｂにより検索されたＣＤプレーヤ１２、ＭＤプレーヤ１３、ＨＤＤの各ソースに記録されている曲の情報、例えばソース、タイトル、アーティスト名、ソースでの曲番を図の（ａ）に示すように対応づけて記憶している。又、ＲＡＭ２６の別の領域にはｈｔｍｌ解析部２４ａが解析したランキング情報が図の（ｂ）に示すように、順位、タイトル、アーティスト名を関連付けて記憶する。
【００１９】
（ｄ）本発明第１実施例のフローチャート
図６は本発明第１実施例のフローチャートである。まず、収録曲判定部２４ｂはオーディオ装置に収納されている収録曲、例えばＣＤプレーヤ１２（図３）に挿入されているＣＤやＭＤプレーヤ１３に挿入されているＭＤやハードディスクドライブ１４中のハードディスクに記録されている曲を検索し、各ソースに対応させてタイトル、アーティスト名、各ソースでの曲番を図５（ａ）に示したように収録曲としてＲＡＭ２６に記憶する（ステップ１０１）。
【００２０】
次に、システムコントローラ２４は操作部２２よりランキング再生の指示があったか否かを判定し（ステップ１０２）、指示がなければ特段の処理は行わない。一方、ランキング再生の指示があった場合、システムコントローラ２４は送受信部１９へランキング情報が記録されている外部のサーバへの接続を指示し、送受信部１９がそれを受けて外部のサーバに接続する（ステップ１０３）。
【００２１】
ついで、接続したサーバよりランキング情報の記録されているｈｔｍｌファイルをダウンロードし、ＲＡＭ２６に記憶する（ステップ１０４）。次に、ＲＡＭ２６に記憶したｈｔｍｌファイルをｈｔｍｌ解析部２４ａが解析し、順位、タイトル、アーティスト名を図５（ｂ）に示したようにＲＡＭ２６に記憶する（ステップ１０５）。
【００２２】
ついで収録曲判定部２４ｂはステップ１０１でＲＡＭ２６に記憶した収録曲とステップ１０５でＲＡＭ２６に記憶したランキングとを比較し、ランキング内の全ての曲がオーディオ装置にあるか否かを判定する（ステップ１０６）。そして、ランキング内の全ての曲がオーディオ装置にあると判定した場合、ＲＡＭ２６に記憶した収録曲とランキングをもとにしてランキング順に再生を開始する（ステップ１０７）。一方、ランキング内の全ての曲がオーディオ装置にないと判定した場合、オーディオ装置にない曲は飛ばしてランキング順に再生を開始する（ステップ１０８）。こうすることにより特別な操作をすることなくランキング順に準じた曲の再生を行なえる。
【００２３】
（Ｄ）本発明の第２実施例
（ａ）本発明第２実施例のオーディオ装置の構成
本発明第２実施例のオーディオ装置の構成は本発明第１実施例のオーディオ装置の構成（図３）と同様である。
【００２４】
（ｂ）ＲＡＭの記憶内容
図７は本発明第２実施例のＲＡＭ２６の記憶内容の説明図である。ＲＡＭ２６には収録曲判定部２４ｂにより検索されたＣＤプレーヤ１２、ＭＤプレーヤ１３、ＨＤＤの各ソースに記録されている曲の情報、例えばソース、タイトル、アーティスト名、ソースでの曲番を図の（ａ）に示すように対応づけて記憶している。又、ＲＡＭ２６の別の領域にはｈｔｍｌ解析部２４ａが解析したランキング情報が図の（ｂ）に示すように、順位、タイトル、アーティスト名を関連付けて記憶する。
【００２５】
そして、ランキング（ｂ）に無い曲、例えばランキングでは３位の曲（タイトル：ＥＥＥＥＥ、アーティスト名：ＭＮＯ）と１０位の曲（タイトル：ＣＣＣＣＣ、アーティスト名：ＧＨＩ）は収録曲（ａ）には記録されていないため、外部サーバより収録曲に無い曲がダウンロードされ、ハードディスクに記録されると（ｃ）のように収録曲が更新される。
【００２６】
（ｄ）本発明第２実施例のフローチャート
図８は本発明第２実施例のフローチャートであり、本発明第１実施例のフローチャート（図６）と同様のステップには同じ番号を付してその説明を省略する。ステップ１０６において、ランキング内の全ての曲がオーディオ装置に無いと判定した場合、オーディオ装置に無いランキングの曲の曲名、アーティスト名をＲＡＭ２６に記憶する（ステップ２０７）。
【００２７】
次に、システムコントローラ２４は送受信部１９へ曲が記録されている外部のサーバへの接続を指示し、送受信部１９がそれを受けて外部のサーバに接続し（ステップ２０８）、オーディオ装置に無い曲の検索を開始する（ステップ２０９）。ついで、サーバ側での検索が終了したか否かをシステムコントローラ２４が判定し（ステップ２１０）、終了していなければ引き続き検索を行い、終了していれば検索して見つかった曲のダウンロードを開始しＨＤＤ１４中のハードディスクに記録する（ステップ２１１）。
【００２８】
ついで、システムコントローラ２４はダウンロードが終了したか否かを判定し（ステップ２１２）、終了していなければ引き続きダウンロードを行う。一方、終了していれば収録曲判定部２４ｂはＲＡＭ２６に記憶した収録曲を図７（ｂ）に示したように更新し（ステップ２１２）、そしてＲＡＭ２６に記憶した収録曲とランキングをもとにしてランキング順に再生を開始する（ステップ１０７）。こうすることにより特別な操作をすることなくランキング順に準じた曲の再生を行なえ、ランキング内の曲がオーディオ装置に無い場合でもランキング順に準じた曲の再生を行うことができる。
【００２９】
【発明の効果】
以上、本発明によれば、オーディオ装置内に収納されている記録媒体より曲を検索して曲の情報を記憶し、所定の操作により指示があったとき、外部のサーバよりランキング情報を取得し、前記記憶した曲情報との比較を行い、その結果を用いてランキング情報に準じてオーディオ装置内に収納されている記録媒体より曲の再生を行うので面倒な操作をすることなく曲のランキング順で再生を行うことができる。
【図面の簡単な説明】
【図１】本発明の第１の概略説明図である。
【図２】本発明の第２の概略説明図である。
【図３】本発明第１実施例のオーディオ装置の構成図である。
【図４】ランキング情報が記録されているｈｔｍｌファイルの一例を示す図である。
【図５】本発明第１実施例のＲＡＭ２６の記憶内容の説明図である。
【図６】本発明第１実施例のフローチャートである。
【図７】本発明第２実施例のＲＡＭ２６の記憶内容の説明図である。
【図８】本発明第２実施例のフローチャートである。
【符号の説明】
ＮＳＲ・・インターネットに接続されている外部のサーバ
ＨＤＲ・・サーバＮＳＲのハードディスク
ＨＦ・・ハードディスクＨＤＲ中に記録されているランキング情報のｈｔｍｌファイル
ＨＵ・・オーディオ装置
ＣＵ・・操作部
１２・・ＣＤプレーヤ
１３・・ＭＤプレーヤ
１４・・ハードディスクドライブ
２６・・メモリ
２８・・送受信部
【図１】
2004021159.tif 000003
【図２】
2004021159.tif 000004
【図３】
2004021159.tif 000005
【図４】
2004021159.tif 000006
【図５】
2004021159.tif 000007
【図６】
2004021159.tif 000008
【図７】
2004021159.tif 000009
【図８】
2004021159.tif 000010